(57)【特許請求の範囲】
【請求項１】
収納溝内に倒伏されたスライドレバーを起立させ、起立させたスライドレバーを前記収納溝に沿って初期位置からスライド操作したときに巻上軸を回転させてフイルム巻上げを行い、フイルム巻上げ後には復帰バネの付勢によりスライドレバーを初期位置に戻すようにしたフイルム巻き上げ装置において、
前記スライドレバーを起伏自在に支持し、スライドレバーを初期位置からスライド操作したとき及び、前記復帰バネの付勢によりスライドレバーが初期位置に戻るときにそれぞれスライドレバーとともに巻上げ方向及び復帰方向に移動するベース部材と、
前記ベース部材に組み込まれ、スライドレバーが倒伏位置から起立位置に回動されたときに起立位置から倒伏位置に向かうスライドレバーの回動をロックするとともに、スライドレバーが起立位置を越えたロック解除位置に回動されたときには前記ロックを解除して起立位置から倒伏位置に向かうスライドレバーの回動を許容するロック機構と、
前記ベース部材の巻上げ方向への移動に連動して前記巻上軸を回転させ、ベース部材の復帰方向への移動時にはベース部材と前記巻上軸との連動を絶つ巻き上げ機構とを備えたことを特徴とするフイルム巻き上げ装置。
【請求項２】
前記ロック機構は、前記スライドレバーが起立位置から倒伏位置に回転することをロックするロック機構と、前記スライドレバーが前記ロック解除位置に回転されることに連係して前記ロック機構のロックを解除するロック解除機構と、前記スライドレバーがロック解除位置から起立位置を経由して倒伏位置に回転する間で前記ロック解除機構のロック解除状態を保持するロック解除保持機構と、前記スライドレバーを倒伏位置に保持する保持機構とで構成されていることを特徴とする請求項１記載のフイルム巻き上げ装置。
【請求項３】
請求項１記載のフイルム巻き上げ装置は、カメラの底面に着脱自在に取り付けられ、装着時にカメラの前記巻上軸又は巻上軸を回転させる部材に連結される連結駆動部材を備えていることを特徴とする請求項１又は２記載のフイルム巻き上げ装置。
【発明の詳細な説明】
【０００１】
【発明の属する技術分野】
本発明は、写真用カメラに用いられ、カメラの巻上軸に回転を伝達するフイルム巻き上げ装置に関し、更に詳しくは巻き上げ操作部を収納可能に設けたフイルム巻き上げ装置に関するものである。
【０００２】
【従来の技術】
従来、手動巻き上げ式のカメラには、巻き上げノブや巻き上げレバーなどの回転式の操作部がボディ上面又は背面側に露呈して設けられている。この回転式の操作部は、グリップした右手親指の腹で回転させることでその回転力を巻上軸に伝達して撮影済みの写真フイルムを巻き上げる。
【０００３】
ところで、回転式の操作部、例えば巻き上げノブの場合は、写真フイルムを１コマ分だけ移送するために、ノブを小刻みに何回も回転させる操作が伴うため、操作性し難く、しかも迅速に巻き上げが行えない。また、巻き上げレバーの場合は、レバーを所定角度だけ回転操作すれば写真フイルムを１コマ分だけ移送することができるが、グリップした右手のひらをカメラに当てた状態で右手親指の腹で押して巻き上げレバーを回転させるため、右手親指に強い力が必要となり、操作性が悪い。そこで、容易な力で迅速に巻き上げが行えるように突出量を長くした巻き上げ操作部材が望まれていた。
【０００４】
【発明が解決しようとする課題】
しかしながら、巻き上げ操作部材の突出量を長くすると、カメラの携帯時に邪魔になるとともに、ぶつかって破損したり、逆にケガをしたりする恐れがある。
【０００５】
また、不使用時に巻き上げ操作部を収納することができるようにすることも可能である。このようなものは、従来から知られているように、不使用時に外部に設けたロック解除ボタンを操作することで収納可能にしている。しかしながら、これでは、ロック解除ボタンと操作部材との連係機構が複雑になり機構自体が高価となる。さらに、手を持ち換える操作を伴うため、操作性が悪かった。
【０００６】
本発明は上記事情を考慮してなされたもので、巻き上げ操作部材を容易に操作でき、且つ簡単に収納することができるフイルム巻き上げ装置をローコストで提供することを目的とする。
【０００７】
【課題を解決するための手段】
上記目的を達成するために、本発明のフイルム巻き上げ装置では、前記スライドレバーを起伏自在に支持し、スライドレバーを初期位置からスライド操作したとき及び、前記復帰バネの付勢によりスライドレバーが初期位置に戻るときにそれぞれスライドレバーとともに巻上げ方向及び復帰方向に移動するベース部材と；前記ベース部材に組み込まれ、スライドレバーが倒伏位置から起立位置に回動されたときに起立位置から倒伏位置に向かうスライドレバーの回動をロックするとともに、スライドレバーが起立位置を越えたロック解除位置に回動されたときには前記ロックを解除して起立位置から倒伏位置に向かうスライドレバーの回動を許容するロック機構と；前記ベース部材の巻上げ方向への移動に連動して前記巻上軸を回転させ、ベース部材の復帰方向への移動時にはベース部材と巻上軸との連動を絶つ巻き上げ機構と；を備えたものである。
【０００８】
ロック機構としては、スライドレバーが起立位置から倒伏位置に回転することをロックするロック機構と、スライドレバーがロック解除位置に回転されることに連係してロック機構のロックを解除するロック解除機構と、スライドレバーがロック解除位置から起立位置を経由して倒伏位置に回転する間でロック解除機構のロック解除状態を保持するロック解除保持機構と、スライドレバーを倒伏位置に保持する保持機構とで構成するのが望ましい。
【０００９】
フイルム巻き上げ装置としては、カメラの底面に着脱自在に取り付けるように構成するのが好適である。この場合、装着時にカメラの巻上軸又は巻上軸を回転させる部材に連結される連結駆動部材を設ける。
【００１０】
【発明の実施の形態】
図１に示すように、カメラ１０には、底面にフイルム巻き上げ装置１１が着脱自在に取り付けられている。カメラ１０の上面には、巻き上げレバー１２、シャッタボタン１３、巻き戻しクランク１４等が、また前面にはファインダ対物窓１５、撮影レンズ１６等が、さらに背面にはフイルムを装填するときに開かれる裏蓋１７がそれぞれ設けられている。周知のように、撮影するときには、巻き上げレバー１２を回転操作してフイルム巻き上げを行った後にシャッタボタン１３を押下操作することで撮影が行える。
【００１１】
フイルム巻き上げ装置１１は、カメラ１０の底面に着脱自在に取り付けられている。フイルム巻き上げ装置１１の底面には、下方に向けて突出したスライドレバー２０が設けられている。スライドレバー２０は、フイルム巻き上げ時に操作するためのものであり、縦位置姿勢やファインダを覗かない高位置からのノンファインダ撮影姿勢等で巻き上げレバー１２での操作がし辛い場合に使用される。この場合には、スライドレバー２０を実線で示した初期位置から一点鎖線で示したスライド完了位置に向けた巻き上げ操作方向に直線的に移動させることでフイルム巻き上げが行える。スライドレバー２０は、スライド完了位置に操作した後に、手を離せば初期位置に自然に戻る。なお、スライドレバー２０を小刻みに操作してもよい。
【００１２】
図２に示すように、フイルム巻き上げ装置１１は、全面が外ケース２１で覆われている。外ケース２１の上面には、雄ネジ２２、位置決めピン２３、及び連結駆動部材２４がそれぞれ露呈して設けられている。連結駆動部材２４には、上方に突出した係合爪２４ａが周方向の３分割位置にそれぞれ設けられている。
【００１３】
図３に示すように、カメラ１０の底面には、連結部ガイドホール２５、三脚ネジ穴２６、及び位置決め穴２７が露呈して設けられている。連結部ガイドホール２５には、奥に被連結駆動部材２８が設けられており、被連結駆動部材２８は、通常キャップ２９により隠されている。キャップ２９は、フイルム巻き上げ装置１１を取り付けるときに連結部ガイドホール２５から外される。
【００１４】
フイルム巻き上げ装置１１の底面には、フランジ部３０，及び開口３１が露呈している。フランジ部３０には、外部に断面円弧状のコイン差込溝が形成されている。そのフランジ部３０は、フイルム巻き上げ装置１１の内部で雄ネジ２２に連結されている。被連結駆動部材２８と連結駆動部材２４とは、雄ネジ２２を三脚ネジ穴２６に、及び位置決めピン２３を位置決め穴２７にそれぞれ合わせてフランジ部３０をネジ締めすることで確実に連結される。
【００１５】
スライドレバー２０は、開口３１から操作部２０ａが突出しており、操作部２０ａを開口３１から下方に向けて起立した起立位置と開口３１の内部に収納した倒伏位置との間で回転する。倒伏位置の状態では、スライドレバー２０が外ケース２１の外形輪郭内に収納される。開口３１の端には、底有りの凹部３２が形成されている。スライドレバー２０が倒伏位置のときには先端が凹部３２の底に引っ掛かっている。その凹部３２に指を入れて先端を引き出すことでスライドレバー２０は簡単に起立する。なお、倒伏位置の状態としては、外ケース２１の外形輪郭内に完全に収納されなくてもよい。
【００１６】
被連結駆動部材２８は、図４に示すように、外部に周方向の３分割位置にそれぞれ係合穴２８ａが露呈して設けられており、カメラ１０の内部で巻上軸３３に連結されている。巻上軸３３は、カメラ１０のフイルム収納室３４に設けられており、撮影済みの写真フイルム４１を巻き取る。その巻上軸３３には、下側に被連結駆動部材２８が一体に形成されており、また、上側には巻き上げレバー１２と巻き止め機構３５とが回転伝達可能に接続されている。巻き止め機構３５は、写真フイルム４１が１コマ分だけ移送されたときに巻き上げレバー１２と巻上軸３３との回転をそれぞれロックする。なお、巻上軸３３と被連結駆動部材２８とを別体に設けても良い。また、巻き上げレバー１２は、スライドレバー２０が操作されても回転することはない。
【００１７】
フイルム巻き上げ装置１１には、図５に示すように、スライドレバー２０と一緒に移動するスライドユニット３６が内蔵されている。スライドユニット３６は、該巻き上げ装置１１の内部でガイドレール３７，３８によって巻き上げ操作方向にガイドされている。ガイドレール３７，３８の両端には、スライドユニット３６が当接するストッパ３９，４０がそれぞれ設けられている。一対のストッパ３９，４０は、スライドレバー２０が初期位置及びスライド完了位置を超えて移動しないようにスライドユニット３６の移動を規制する。
【００１８】
スライドユニット３６には、スライドレバー２０を起立位置と倒伏位置との間で回転させるレバー収納機構が内蔵されている。レバー収納機構は、回転支持機構、ロック機構、ロック解除機構、保持機構とで構成されており、これらは、ベース部材４３、スライドレバー２０、ピン４４、板バネ４５、引っ張りバネ４６、押さえ板４７、及びロック解除保持部材４８等で構成されている。回転支持機構は、スライドレバー２０を回転自在に支持する。ロック機構は、スライドレバー２０が倒伏位置に向けて回転しなようにロックする。ロック解除機構は、巻き上げ操作方向とは逆の方向（以下、「ロック解除方向」と称す。）に設定されたロック解除位置にスライドレバー２０を回転操作したときにロック機構のロックを解除する。保持機構は、スライドレバー２０を倒伏位置に保持する。
【００１９】
スライドレバー２０は、操作部２０ａと開口３１の内部に入り込んだ回転支持部４９とからなる。回転支持部４９は、円の一部を截頭した形状となっており、これには、ピン４４を挿通するための軸受け穴５０が設けられている。ロック解除保持部材４８は、コ字状となっており、開放側の左及び右板５１，５２とこれらを繋げる係累板５３とからなる。左及び右板５１，５２には、ピン４４を挿通するための穴部５４，５５がそれぞれ形成されている。
【００２０】
ピン４４は、穴部５４、軸受け穴５０、右板の穴部５５の順で、巻き上げ操作方向に直交する方向に沿って挿入される。ピン４４の両端は、ベース部材４３に支持される。これらピン４４、穴部５４、軸受け穴５０、右板の穴部５５、及びベース部材４３が回転支持機構を構成している。また、ロック解除保持部材４８もスライドレバー２０に対して回転自在に支持される。
【００２１】
回転支持部４９の上の截頭面５６には、ロック爪５７、及びロック解除部５８とが一体に形成されており、また図６に示すように、押さえ板４７が上方から押し当てられる。押さえ板４７は、短片５９短片５９と長片６０とからなるＬ字状の弾性板となっており、短片５９がベース部材４３に取り付けられ、また長片６０が截頭面５６に当接してロック解除方向（時計方向）へのスライドレバー２０の回転を軽く阻止している。ロック爪５７は、押さえ板４７の先端に形成された切り欠き部６１に係合して巻き上げ操作方向（反時計方向）に向けてのスライドレバー２０の回転を阻止する。ロック解除部５８は、截頭面５６の角部となっており、図７に示すように、スライドレバー２０がロック解除方向に向けて回転したときに押さえ板４７の長片６０を上方に撓ませてロック爪５７と切り欠き部６１との係合を解除する。
【００２２】
係累板５３の下方には、板バネ４５が当接している。板バネ４５は、ロック解除保持部材４８を時計方向に向けて所定角度だけ付勢している。左及び右板５１，５２には、回転止め爪６２，６３がそれぞれ形成されている。一対の回転止め爪６２，６３は、スライドレバー２０が起立位置のときに、押さえ板４７の両端に形成した左及び右切り欠き部６４，６５にそれぞれ係合するロック許容位置となっている。
【００２３】
ロック解除保持部材４８は、ロック許容位置のときに、板バネ４５の付勢による時計方向への回転が止められる。また、一対の回転止め爪６２，６３は、スライドレバー２０をロック解除位置に向けて回転操作したときに、長片６０を下方から押して長片６０が元の位置に戻るのを阻止する保持位置に回転する。回転支持部４９には、回転軸に沿った両側に一対の突起６６，６７が設けられている。一対の突起６６，６７は、図８に示すように、スライドレバー２０が倒伏位置に到達する前に、一対の回転止め爪６２，６３に当接し、板バネ４５の付勢に抗してロック解除保持部材４８を反時計方向に回転させてロック許容位置に戻す。
【００２４】
引っ張りバネ４６は、一端がスライドレバー２０に、また、他端はベース部材４３にそれぞれ取り付けられており、起立位置のときにスライドレバー２０のロック解除位置に向けての回転操作を補助し、また倒伏位置のときには図９に示すようにスライドレバー２０をその位置に保持する作用を行う。
【００２５】
巻き上げ機構は、図１０に示すように、スライドユニット３６、連結駆動部材２４、コイルバネ７０、支持受け７１、軸受け部材７２、連動ギヤ７３、クラッチギヤ７４、ベルト車７５、プーリ７６、歯付きベルト７７、及び引っ張りバネ７８とから構成されている。スライドユニット３６を構成するベース部材４３には、歯付きベルト７７の一端７７ａが固定されている。歯付きベルト７７は、ベルト車７５、ベルト外れ防止用のプーリ７６を介してＵ字状に掛けられており、その他端７７ｂはスライドレバー２０を初期位置に向けて引っ張る方向に引っ張りバネ７８で付勢されており、スライドレバー２０の巻き上げ操作方向への直線性往復運動を回転駆動に変換してベルト車７５に伝達する。ベルト車７５には、一方向クラッチ７９が内蔵されている。一方向クラッチ７９には、クラッチギヤ７４に設けた回転軸７４ａが嵌合する軸受け穴７９ａが設けられている。一方向クラッチ７９は、カメラ１０の巻上方向に対応した回転をクラッチギヤ７４に伝達し、前記方向とは逆の方向への回転をクラッチギヤ７４に伝達しない作用を行う。このクラッチギヤ７４は、連動ギヤ７３に噛合している。
【００２６】
連動ギヤ７３は、図４にも示したように、軸受け部材７２にその下側で回転自在に支持される。軸受け部材７２は、上側で支持受け７１を回転自在に支持しており、外周が外ケース２１に固着される。支持受け７１は、軸受け部材７２を通って連動ギヤ７３にネジ８０によって固着され、支持受け７１と一緒に回転する。支持受け７１と連結駆動部材２４とは、フイルム巻き上げ装置１１の取り付け方向に平行な回転軸８１を中心とする回転方向で係合し、且つ前記取り付け方向に移動自在に支持されている。止めネジ８２は、連結駆動部材２４が支持受け７１から抜けることを阻止している。コイルバネ７０は、支持受け７１と連結駆動部材２４との間に介在され、支持受け７１に対して連結駆動部材２４を取り付け方向に向けて付勢する。これにより、カメラ側の被連結駆動部材２８に連結駆動部材２４の係合爪２４ａを容易に噛み合わせることができる。
【００２７】
次に、上記構成の作用を説明する。フイルム巻き上げ装置１１をカメラ１０に取り付けるときには、雄ネジ２２を三脚ネジ穴２６に、及び位置決めピン２３を位置決め穴２７にそれぞれ合わせた状態でフランジ部３０をネジ締めする。これにより、被連結駆動部材２８と連結駆動部材２４とが確実に連結される。
【００２８】
スライドレバー２０は、フイルム巻上げ装置１１の底面に倒伏した倒伏位置の状態となっている。この状態では、図９に示すように、引っ張りバネ４６によりスライドレバー２０の反時計方向に回転付勢されており、操作部２０ａの先端に当接する凹部３２によってその回転付勢が阻止されている。この状態では、操作部２０ａが外ケース２１の外形輪郭内に収納されており、よって携帯時に操作部２０ａが邪魔になることはない。
【００２９】
フイルム巻き上げするときには、凹部３２に指を入れて操作部２０ａを引き出す。これにより、スライドレバー２０は、時計方向に回転する。このとき、ロック解除保持部材４８は、一対の回転止め爪６２，６３が左及び右切り欠き部６４，６５に係合しているため、保持位置への回転が阻止されている。この状態でスライドレバー２０が起立位置まで回転すると、図６に示すように、ロック爪５７が長片６０を押し上げた後に切り欠き部６１に係合する。このときの長片６０の押し上げは、左及び右切り欠き部６４，６５が一対の回転止め爪６２，６３との間で係合解除がなされない程度となっている。これにより、スライドレバー２０は、巻き上げ操作方向（反時計方向）への回転がロックされる。
【００３０】
スライドレバー２０を起立位置にセットすると、そこが巻き上げ操作方向の初期位置、すなわち撮影準備位置となる。この状態では、引っ張りバネ７８により初期位置に向けて付勢されているスライドユニット３６の移動をストッパ４０が阻止している。
【００３１】
フイルム巻き上げ操作を行う場合には、スライドレバー２０を巻き上げ操作方向に向けてスライド操作する。これにより、歯付きベルト７７の一端７７ａが引っ張られ、他端７７ｂに取り付けた引っ張りバネ７８が伸ばされる。スライドレバー２０をスライド操作すると、歯付きベルト７７が移送され、図１０に示したベルト車７５を時計方向に回転させる。この回転は、一方向クラッチ７９、クラッチギヤ７４、連動ギヤ７３、支持受け７１、及び連結駆動部材２４に順に伝達される。この駆動は、連結駆動部材２４に連結されている被連結駆動部材２８に伝達され、カメラ１０の巻上軸３３をフイルム巻き上げ方向に回転させる。
【００３２】
カメラ１０の巻き止め機構３５が作動すると、巻上軸３３の回転が阻止される。その後に、スライドレバー２０のスライド操作による駆動が伝達されても、連結駆動部材２４がコイルバネ７０の付勢に抗して下方に逃げて被連結駆動部材２８との連結が解除されるから、巻上軸３３を破損させることはない。スライドレバー２０から手を離すと引っ張りバネ７８の付勢により歯付きベルト７７が戻され、よってスライドユニット３６とともにスライドレバー２０が初期位置に戻される。このときのスライド完了位置から初期位置に向けての移動に応じた回転は、一方向クラッチ７９により巻上軸３３に伝達されることはない。その後、シャッタボタン１３を押下操作することでカメラ１０側で露光が行われる。露光完了後には、巻き止め機構３５の作動が解除される。これにより、次回のフイルム巻き上げ操作が許容される。
【００３３】
スライドレバー２０を収納する場合には、操作部２０ａをロック解除方向に向けて押す。スライドユニット３６は、ストッパ４０によりロック解除方向へのスライド移動が阻止されている。よってスライドレバー２０は、ピン４４を中心として時計方向に回転する。この回転操作は、図７に示すように、ベース部材４３に設けたストッパ３１ａで規制される。この間、スライドレバー２０のロック解除部５８が長片６０を押し上げ、ロック爪５７と切り欠き部６１、及び、一対の回転止め爪６２，６３と左及び右切り欠き部６４，６５との係合をそれぞれ解除する。解除後には、ロック解除保持部材４８が板バネ４５の付勢により保持位置に回転し、長片６０が元の位置に戻るのを阻止する。
【００３４】
その後、スライドレバー２０を巻き上げ操作方向に向けて押す。このとき、起立位置でのロックが解除されているから、スライドレバー２０が起立位置を通って倒伏位置に向けた反時計方向に回転する。この回転途中のうちの、ロック爪５７が切り欠き部６１に係合する位置を通過したときに、図８に示すように、一対の突起６６，６７が一対の回転止め爪６２，６３にその回転方向から当接し、その後は、ロック解除保持部４８と一緒に回転する。そして、倒伏位置にまで回転すると、ロック解除保持部材４８がロック許容位置に戻され、一対の回転止め爪６２，６３が左及び右切り欠き部６４，６５に入り込む位置となるから、長片６０が元の位置に戻る。このとき、図９に示すように、スライドレバー２０は、操作部２０ａの先端に凹部３２が当接する。そして、引っ張りバネ４６により反時計方向に回転付勢され、倒伏位置に保持される。
【００３５】
上記実施形態では、フイルム巻き上げ装置１１とカメラ１０とを別々にしているが、フイルム巻き上げ装置１１をカメラ１０に組み込んで一体にしてもよい。また、巻き上げ機構としては、図１０で説明した構成に限ることなく、直線運動を回転運動に変換する機構、巻き上げとは逆の回転を巻上軸３３に伝達しない機構、及び巻き止め機構３５が作動した後の回転力を巻上軸３３に伝達しない機構等を周知の機構に代用してもよい。
【００３６】
【発明の効果】
以上詳細に説明したように、本発明のフイルム巻き上げ装置では、スライドレバーを起立位置でロックするロック機構を設けたから、巻き上げ操作を簡便にかつ迅速に行える。また、ロック機構は、使用時にはスライドレバーが倒伏位置に移動することをロックし、不使用時にスライドレバーを巻き上げ操作方向とは逆の方向に回転操作することで前記ロックを解除して、その後に、スライドレバーの倒伏動作を許容するから、倒伏するときに手を持ち換えることなく作業が簡便に行える。さらに、従来技術と比較して別個にボタンを設ける必要がなく、また、ボタン操作に連係する機構も必要がないから、ローコストである。
【図面の簡単な説明】
【図１】カメラに取り付けたフイルム巻き上げ装置を示す斜視図である。
【図２】フイルム巻き上げ装置の上面を示す斜視図である。
【図３】カメラの底面とフイルム巻き上げ装置の底面とを示す斜視図である。
【図４】カメラにフイルム巻き上げ装置を取り付けた状態を示す要部断面図である。
【図５】レバー収納機構を示す分解斜視図である。
【図６】スライドレバーの起立位置の状態を示す要部断面図である。
【図７】スライドレバーをロック解除位置に操作したときの状態を示す要部断面図である。
【図８】スライドレバーを倒伏位置に向けて回転操作したときの状態を示す要部断面図である。
【図９】スライドレバーを倒伏位置に回転操作したときの状態を示す要部断面図である。
【図１０】巻き上げ機構を示す分解斜視図である。
【符号の説明】
１０  カメラ
１１  フイルム巻き上げ装置
１２  巻き上げレバー
２０  スライドレバー
２４  連結駆動部材
２８  被連結駆動部材
３１  開口
３３  巻上軸
３６  スライドユニット
４３  ベース部材
４７  押さえ板
４７  ロック爪
７９  一方向クラッチ
【図１】
0003549048.tif 000002
【図２】
0003549048.tif 000003
【図３】
0003549048.tif 000004
【図４】
0003549048.tif 000005
【図５】
0003549048.tif 000006
【図６】
0003549048.tif 000007
【図７】
0003549048.tif 000008
【図８】
0003549048.tif 000009
【図９】
0003549048.tif 000010
【図１０】
0003549048.tif 000011